Podtech/llm-jp-corpus-v4-ja_patent huggingface dataset:
(57)【要約】【課題】  水中の溶存酸素を水温を変化させずに、また生物の呼吸作用を利用せずに低下させる技術はない。【解決手段】  本発明は、溶媒としての水に浮遊するセラミック微粒子の多様な機能（磁性、圧電素子による超音波、表面誘起電荷、遠赤外線等）とその相互作用あるいは、圧電素子に電圧を負荷し超音波を発生させることにより水中の溶存酸素が低下する。これらにより、▲１▼好気性生物の管渠内の付着は減少する。▲２▼赤サビの生成は抑制され、鉄還元細菌により、黒サビ化する。▲３▼嫌気呼吸による生成物であるヨーグルト、エチルアルコール等の発酵時間が早まる。などの効果がある。【特許請求の範囲】
【請求項１】
本発明は、高温焼成した酸化系鉱物の焼結体からなるセラミック粒子を充填した容器に、水を接触させ、水中のセラミック粒子を水の通過流速などにより流動、相互摩擦、衝突させることにより、セラミック微粒子を溶媒としての水（淡水、海水等）に浮遊させる。また、直接にセラミック微粒子を添加することにより、溶媒としての水（淡水、海水等）に浮遊するセラミック微粒子の多様な機能（フェライトや希土類の磁性、圧電素子による超音波、熱電効果による表面誘起電荷、遠赤外線等）とその相互作用による。その為、水中の酸素分圧が大気と平衡になる大気との接触面が必要となる。溶液としての水の溶存酸素を減少させる事を特徴とする水中の溶存酸素の減少方法。
【請求項２】
圧電素子に電圧を負荷し超音波を発生させることによる。その為、水中の酸素分圧が大気と平衡になる大気との接触面が必要となる。溶存酸素を減少させる事を、特徴とする水中の溶存酸素の減少方法。
【請求項３】
溶存酸素の減少により、配水管などの管渠において、好気性生物の生息環境が抑制され、海水に於いては、牡蠣、フジツボなどの生物の付着が減少する事を、特徴とする水中の溶存酸素の減少方法。
【請求項４】
溶存酸素の減少により、溶存酸素や鉄酸化細菌による、鉄の酸化（赤サビ）は抑制され、鉄還元細菌により、黒サビ化する事を、特徴とする水中の溶存酸素の減少方法。
【請求項５】
二重代謝経路を持つ微生物は、溶存酸素の低下により、解糖系を中心とした嫌気呼吸となる。溶存酸素の充分な存在下では嫌気呼吸は働かない。その為、溶存酸素の多い水では、好気性呼吸作用により溶存酸素が減少するまで嫌気呼吸は働かない。嫌気呼吸による生成物であるヨーグルト、エチルアルコール等の発酵時間が早まる事を、特徴とする水中の溶存酸素の減少方法。
【発明の詳細な説明】
【技術分野】
【０００１】  本発明は、溶媒としての水（淡水、海水等）に浮遊するセラミックス微粒子の多様な機能（磁性、圧電素子による超音波、表面誘起電荷、遠赤外線等）とその相互作用により、また、超音波により水中の溶存酸素が低下する事に関する。
【背景技術】
【０００２】  水中の溶存酸素を水温を変化させずに、また生物の呼吸作用を利用せずに低下させる技術はない。
【発明の開示】
【発明が解決しようとする課題】
【０００３】  例えば、配水管などの管渠においても、溶存酸素により好気性生物の生息環境が維持され、海水に於いては、牡蠣、フジツボなどの生物が付着する。その為、管渠の機能を維持する為に付着生物の除去を行わなければならない。【０００４】  配水管などの管渠において、溶存酸素や鉄酸化細菌により、鉄の酸化（赤サビ）が起こる。赤サビは管渠の劣化が早い。その為、管渠の取替え、清掃を行わなければならない。【０００５】  二重代謝経路を持つ微生物は、溶存酸素の低下により、解糖系を中心とした呼吸となる。溶存酸素の充分な存在下では嫌気呼吸は働かない。その為、溶存酸素の多い水では、好気性呼吸作用により溶存酸素が減少するまで嫌気呼吸は働かない。嫌気呼吸による生成物であるヨーグルト、エチルアルコール等の製造に時間がかかる。
【問題を解決する為の手段】
【０００６】  上述の課題を解決する為、本発明は、高温焼成した酸化系鉱物の焼結体からなるセラミック粒子を充填した容器に、溶媒を接触させ、溶媒中のセラミック粒子を溶媒の通過流速などにより流動、相互摩擦、衝突させることにより、セラミック微粒子を溶媒中に浮遊させる。また、直接にセラミックス微粒子を添加することによる。あるいは圧電素子に電圧を負荷し超音波を発生させることによる。全てにおいて水中の酸素分圧が大気と平衡になる大気との接触面が必要となる。
【発明の効果】
【０００７】  溶媒としての水に浮遊するセラミック微粒子の多様な機能（磁性、圧電素子による超音波、表面誘起電荷、遠赤外線等）とその相互作用あるいは、あるいは圧電セラミックスに電圧を負荷し超音波を発生させることにより水中の溶存酸素が低下する。これらにより、▲１▼好気性生物の管渠内の付着は減少する▲２▼赤サビの生成は抑制され、鉄還元細菌により、黒サビ化する▲３▼嫌気呼吸による生成物であるヨーグルト、エチルアルコール等の発酵時間が早まる。などの効果がある。
【発明を実施する為の最良の形態】
【０００８】  本発明は、溶存酸素の減少法であり、様々な形が考えられる。高温焼成した酸化系鉱物の焼結体からなるセラミック粒子を充填した容器に、溶媒を接触させ、溶媒中のセラミック粒子を流動、相互摩擦、衝突させることにより、セラミック微粒子を溶媒中に浮遊させることが出来れば良い為、例えば、溶媒をセラミック充填容器に一定流速で通過させる筒状の容器、溶媒をセラミック充填容器に滞留させ振動、撹拌などの様々な運動を加える容器等である。またセラミック微粒子を直接に添加することもできる。あるいは圧電素子に電圧を負荷し超音波を発生させることによる。全てにおいて水中の酸素分圧が大気と平衡になる大気との接触面が必要となる。
【産業上の利用分野】
【０００９】  海水利用の冷却水の生物の付着による管渠の機能低下改善や配水管の赤サビ防止、発酵食品などの発酵時間の短縮などに利用できる。
(57)【要約】【課題】帯域幅の周波数ずれを低減することができる導波管フィルタを提供する。【解決手段】導波管フィルタ１０は，一端から他端まで達する切削溝１８及び当該切削溝１８と交わる方向に設けられた配置溝２４を備える金属体１２（導波管フィルタ本体）と，前記金属体１２の前記切削溝１８に突出するように前記配置溝２４に配置された金属体２６とを有する。したがって，金属体２６における配置溝２４への突出部分と，第１の金属体１２との境界には，Ｒが形成されない。このため，金属体２６の突出部分の寸法の精度は，当該突出部分が切削加工により形成される場合と比較して高い。【選択図】図２
2009246921.tif 000002
【特許請求の範囲】
【請求項１】
一端から他端まで達する切削溝及び当該切削溝と交わる方向に設けられた配置溝を備える導波管フィルタ本体と，
前記導波管フィルタ本体の前記切削溝に突出するように前記配置溝に配置された金属体と
を有する導波管フィルタ。
【発明の詳細な説明】
【技術分野】
【０００１】
本発明は，導波管フィルタに関する。
【背景技術】
【０００２】
従来，導波管フィルタは，切削加工，金型加工等により製作される。例えば，導波管フィルタは，内部が切削された第１の金属体と，電気的特性を調整するためのネジが備えられた第２の金属体とを含む。
特許文献１には，調整ねじを螺合挿入してフィルタ特性を微調整するように構成された導波管形バンドパスフィルタが開示されている。
【０００３】
【特許文献１】特開平８−１６２８０５号公報
【発明の開示】
【発明が解決しようとする課題】
【０００４】
しかしながら，第１の金属体の内部の角にＲが形成されていると，帯域幅の周波数ずれが生じてしまうことがある。
【０００５】
本発明は，帯域幅の周波数ずれを低減することができる導波管フィルタを提供することを目的とする。
【課題を解決するための手段】
【０００６】
上記目的を達成するために，本発明に係る導波管フィルタは，一端から他端まで達する切削溝及び当該切削溝と交わる方向に設けられた配置溝を備える導波管フィルタ本体と，前記導波管フィルタ本体の前記切削溝に突出するように前記配置溝に配置された金属体とを有する。
【発明の効果】
【０００７】
本発明に係る導波管フィルタによれば，帯域幅の周波数ずれを低減することができる。
【発明を実施するための最良の形態】
【０００８】
まず，本発明の理解を容易にするために，本発明の背景を具体的に説明する。
図１は，従来の導波管フィルタ１の構造を示す斜視図である。
図１に示すように，導波管フィルタ１は，第１の金属体１２と，導波管フィルタ１の電気的特性を調整するための複数のねじ２２が備えられた第２の金属体１４とを有する。第１の金属体１２には，長手方向に沿って，切削溝１８が設けられている。また，第１の金属体１２には，切削溝１８を形成する両側の壁面に，対向する壁面に向かって突出する複数の凸部２０が設けられている。このような第１の金属体１２は，切削加工又は金型加工により形成される。
【０００９】
第１の金属体１２において，凸部２０が形成された位置には，図中の矢印Ａで示されるように，Ｒが形成されている。即ち，第１の金属体１２の内側であって切削溝１８の両側の壁面に形成された角に，丸みが形成されている。一般に，導波管フィルタでは，電気的特性は，導波管フィルタの内部の切削された寸法の精度に依存する。
【００１０】
したがって，第１の金属体１２の内側にＲが形成されると，電気的特性は影響を受けてしまう。この場合，電気的特性は，第２の金属体１４に設けられたねじ２２を用いて調整される。このようなねじ２２の調整は，熟練した経験者により時間を掛けて行われることが多い。
【００１１】
以下，本発明の実施形態に係る導波管フィルタを説明する。
図２は，本発明の実施形態に係る導波管フィルタ１０の構造を示す斜視図である。なお，図２に示された各構成のうち，図１に示された構成と実質的に同一のものには同一の符号が付されている。
【００１２】
図２に示すように，導波管フィルタ１０は，第１の金属体１２（導波管フィルタ本体）と，複数のねじ２２が備えられた第２の金属体１４とを有する。第１の金属体１２には，長手方向に沿って，一端から他端まで達する切削溝１８が設けられている。また，第１の金属体１２には，切削溝１８と交わる方向に，複数の配置溝２４が設けられている。
【００１３】
本実施形態では，配置溝２４は，一端から他端まで，切削溝１８と交わるようにして形成されている。また，配置溝２４の底面と，切削溝１８の底面とは，接続されている。したがって，配置溝２４及び切削溝１８の深さは一致する。
【００１４】
導波管フィルタ１０は，複数の第３の金属体２６をさらに有する。第３の金属体２６は，第１の金属体１２の配置溝２４に圧入等の手段により嵌め込まれる。ここで，第３の金属体２６は，端部が切削溝１８に突出するようにして，配置溝２４に配置されている。
【００１５】
したがって，第３の金属体２６における配置溝２４への突出部分と，第１の金属体１２との境界には，Ｒが形成されない。このため，第３の金属体２６の突出部分の寸法の精度は，当該突出部分が切削加工により形成される場合と比較して高い。
【００１６】
これにより，導波管フィルタ１０の電気的特性の劣化は少なくなる。この結果，ねじ２２の調整に要する時間は低減される。
【図面の簡単な説明】
【００１７】
【図１】従来の導波管フィルタ１の構造を示す斜視図である。
【図２】本発明の実施形態に係る導波管フィルタ１０の構造を示す斜視図である。
【符号の説明】
【００１８】
１０ 導波管フィルタ
１２ 第１の金属体
１４ 第２の金属体
１８ 切削溝
２０ 凸部
２４ 配置溝
２６ 第３の金属体
【図１】
2009246921.tif 000003
【図２】
2009246921.tif 000004
(57)【要約】【課題】  従来の企業の受付用のインターホンは、訪問者が戸惑うという問題があった。これは訪問者がふと担当者の名前をど忘れしたり、同じ部署に同じ苗字の人間が複数名いる場合があるためであったり、不在時に何度も呼び出しにくいという場合があるためである。【解決手段】  企業の受付用のインターホンにおいて、従来のように部署や名前のみをシートやパネルに記載するのではなく、タッチパネル画面上にて顔写真と在室・不在ランプを記載するシステムを構成した。これにより、訪問者が受付にて戸惑うことなく相手方を呼び出すことが可能である。【選択図】図１
2009246924.tif 000002
【特許請求の範囲】
【請求項１】
顔写真を掲載したタッチパネルにより通話相手を選択でき、訪問先担当者の在室・外出が確認できる受付用インターホンシステム。
【発明の詳細な説明】
【技術分野】
【０００１】  本発明は、企業の受付の利便性を図ったインターホンシステムに関する。【０００２】  従来の企業用の受付インターホンには、部署と人名を記載したシートや画面から選択し呼び出す形態がある。
【発明の開示】
【発明が解決しようとする課題】
【０００３】  以上に述べた従来の受付システムでは、訪問者が担当者の名前を思い出せなかったり、同じ苗字の人間が複数名いて戸惑うことが起こるものであった。また急用の際、不在であったため、再度訪れるのだが何度もインターホンで確認しづらいという状況があった。【０００４】  本発明は、このような状態が起こっていた問題を解決しようとするものであり、顔写真を導入し、且つ在室・不在状態が問い合わせなくても分かるという確実な受付システムを実現することを目的とするものである。
【課題を解決するための手段】
【０００５】  そして、本発明は上記目的を達成するために、タッチパネルに顔写真を設けて容易に確認できるものである。【０００６】  また、在室・不在ランプを画面上に設け、訪問者が確認可能である。
【発明の効果】
【０００７】  上述したように本発明の受付システムは、訪問者が担当者の特定を確実に行なえるものであり、何度も訪問する相手に対しても在室確認のできる質の高い受付システムを提供することができる。
【発明の実施するための最良の形態】
【０００８】  以下、本発明の実施の形態を図１〜図２に基いて説明する。
【０００９】  図においては、１はタッチパネル本体で、２が画面上の顔写真、３が呼び出しボタンで４が部署変更などのメニューボタンで、５が在室・不在ランプである。
【００１０】  １０のタッチパネル本体と７のシーケンサを６の通信線で配線し、９の端末からの弱電ケーブル８を７のシーケンサに集約する。９の端末は通常のインターホンのほか、スナップスイッチが取り付いてあり、切替操作により画面上の在室・不在ランプが切り替わる。
【図面の簡単な説明】
【００１１】
【図１】  顔写真と在室・不在ランプを使用したタッチパネルの画面構成
【図２】  タッチパネルから端末までの配線構成例
【図１】
2009246924.tif 000003
【図２】
2009246924.tif 000004
(57)【要約】【課題】  従来の企業の受付用のインターホンは、訪問者が戸惑うという問題があった。これは訪問者がふと担当者の名前をど忘れしたり、同じ部署に同じ苗字の人間が複数名いる場合があるためである。【解決手段】  企業の受付用のインターホンにおいて、従来のように部署や名前のみをシートやパネルに記載するのではなく、タッチパネル画面上にて顔写真を記載するシステムを構成した。これにより、訪問者が受付にて戸惑うことなく相手方を呼び出すことが可能である。【選択図】図１
2009246923.tif 000002
【特許請求の範囲】
【請求項１】
顔写真を掲載したタッチパネルにより通話相手を選択する受付用インターホンシステム。
【発明の詳細な説明】
【技術分野】
【０００１】  本発明は、企業の受付の利便性を図ったインターホンシステムに関する。【０００２】  従来の企業用の受付インターホンには、部署と人名を記載したシートや画面から選択し呼び出す形態がある。
【発明の開示】
【発明が解決しようとする課題】
【０００３】  以上に述べた従来の受付システムでは、訪問者が担当者の名前を思い出せなかったり、同じ苗字の人間が複数名いて戸惑うことが起こるものであった。【０００４】  本発明は、このような状態が起こっていた問題を解決しようとするものであり、顔写真を導入し、確実な受付システムを実現することを目的とするものである。
【課題を解決するための手段】
【０００５】  そして、本発明は上記目的を達成するために、タッチパネルに顔写真を設け、呼び出しに応じない場合には、担当課の代表回線に切替えるものである。
【発明の効果】
【０００６】  上述したように本発明の受付システムは、訪問者が担当者の特定を確実に行なえるものであり、質の高い受付システムを提供することができる。
【発明の実施するための最良の形態】
【０００７】  以下、本発明の実施の形態を図１〜図２に基いて説明する。
【０００８】  図においては、１はタッチパネル本体で、２が画面上の顔写真、３が呼び出しボタンで４が部署変更などのメニューボタンである。
【０００９】  ９のタッチパネル本体と６のシーケンサを５の通信線で配線し、８の端末からのインターホンケーブル７を６のシーケンサに集約する。
【図面の簡単な説明】
【００１０】
【図１】  顔写真を使用したタッチパネルの画面構成
【図２】  タッチパネルから端末までの配線構成例
【図１】
2009246923.tif 000003
【図２】
2009246923.tif 000004
(57)【要約】【課題】  樹脂の硬化や硬化時の温度変化などの影響で起きるワイヤーの動きを防止した半導体素子パッケージを提供すること。【解決手段】  半導体素子２を空洞部内に収納したパッケージ１と、このパッケージ１の側面から導出されているリード線３と、前記パッケージ１の空洞部を覆うセラミックキャップ４とを備え、このセラミックキャップ４を含む前記パッケージ全体を、樹脂５を用いて、封止している。【選択図】図２
2009246156.tif 000002
【特許請求の範囲】
【請求項１】
半導体素子を配置する空洞部を有するパッケージと、このパッケージの側面から導出されているリード線と、前記パッケージの空洞部を覆うセラミックキャップと、このセラミックキャップを含む前記パッケージ全体を封止するモールド樹脂とを備えることを特徴とする半導体素子パッケージ。
【請求項２】
前記セラミックキャップを含むパッケージ全体の封止は、前記空洞部を覆うセラミックキャップを前記パッケージに固定することを特徴とする請求項１記載の半導体素子パッケージ。
【発明の詳細な説明】
【技術分野】
【０００１】
本発明は、半導体素子の高周波帯、特に、マイクロ波帯およびミリ波帯の素子を封止する半導体パッケージに関する。
【背景技術】
【０００２】
従来、この種の半導体素子をパッケージ内に封止する際、パッケージに設けた空洞内に半導体素子を配置し、その半導体素子自体を直接、パッケージ内に、樹脂で封止していた。
【発明の開示】
【発明が解決しようとする課題】
【０００３】
しかし、この方法では、パッケージの内部に配線されているパッケージと半導体素子間を結ぶ金（Au）メッキされたワイヤー（以下、ワイヤーと呼ぶ）が、樹脂の硬化や硬化時の温度変化などによって動き、その結果、断線して電気的に絶縁してしまうという問題が起きていた。
【０００４】
そこで、本発明の目的は、樹脂の硬化や硬化時の温度変化などの影響で起きるワイヤーの動きを排除した半導体素子パッケージを提供することにある。
【課題を解決するための手段】
【０００５】
本発明の半導体素子パッケージは、半導体素子を配置する空洞部を有するパッケージと、このパッケージの側面から導出されているリード線と、前記パッケージの空洞部を覆うセラミックキャップと、このセラミックキャップを含む前記パッケージ全体を封止するモールド樹脂とを備えることを特徴とするものである。
【発明の効果】
【０００６】
本発明によれば、セラミックキャップを含めたパッケージ全体を、樹脂を用いて、封止する際、半導体素子を配置させた空洞部とリード線部とを除いた部分で封止しているので、リード線部は樹脂の硬化や硬化時の温度変化の影響を受けず、また、空洞部も空間状態になっているので、空洞内のワイヤーも、樹脂の硬化や硬化時の温度変化の影響を受けず、したがって、ワイヤーやリード線の動きを排除することができ、その結果、ワイヤーやリード線の断線がなくなって信頼性の高い半導体装置を得ることができる。
【発明を実施するための最良の形態】
【０００７】
以下、本発明の実施形態につき、図１乃至図２を用いて詳細に説明する。
【０００８】
図１は、本発明による半導体素子パッケージをセラミックキャップで封止する前の状態を示した斜視図で、パッケージ１は、その内部に半導体素子２が設けられており、また、左右側面からは他の半導体素子に接続するリード線３が設けられている。
【０００９】
さらに、パッケージ１内に配置された半導体素子２が外部に曝されないためのセラミックキャップ４が示されている。
【００１０】
このような構成において、パッケージ１内に半導体素子２を配置し、次いで、セラミックキャップ４をパッケージ１に被せて半導体素子を覆う。
【００１１】
そして、この状態、すなわち、セラミックキャップ４を含めたパッケージ１の全体を、リード線３の部分を除いて、プラスティックなどの樹脂で封止する。
【００１２】
図２は、この樹脂で封止したセラミックキャップを含めたパッケージ全体の状態を示した斜視図で、セラミックキャップ４を含めたパッケージ１の全体が、リード線３の部分だけを除いて、前記樹脂５で封止されている。
【００１３】
この場合、半導体素子２が配置されている空洞部は、セラミックキャップ４によって外気と遮断された空間になっていて、その空間部は樹脂の硬化や硬化時の温度変化などの影響を直接受けない状態になっており、したがって、従来のようなパッケージと半導体素子間を結ぶワイヤーの動きもなく、信頼性の高い半導体素子パッケージを得ることができる。
【００１４】
なお、図２において、図１と同一構成部分には、同一符号を付して示し説明している。
【図面の簡単な説明】
【００１５】
【図１】本発明による半導体素子のパッケージをセラミックキャップで覆う前の状態を示した斜視図である。
【図２】本発明による半導体素子のパッケージ全体を樹脂で封止した状態を示した斜視図である。
【符号の説明】
【００１６】
１  パッケージ
２  半導体素子
３  リード線
４  セラミックキャップ
５  樹脂
【図１】
2009246156.tif 000003
【図２】
2009246156.tif 000004
(57)【要約】【課題】特定エリア内で使用する無線通信システムにおいて、移動局を紛失または盗難にあった場合にシステム設定部から容易に移動局を動作停止にすることを目的とする。【解決手段】本発明の無線通信システムは、少なくともシステム設定部と、回線交換部と、基地局無線部と、移動局を具備する無線通信システムであって、無線通信システムはシステム設定部から回線交換部と基地局無線部を介して移動局を動作停止することを特徴とする。【選択図】  図１
2009246851.tif 000002
【特許請求の範囲】
【請求項１】
少なくともシステム設定部と、回線交換部と、基地局無線部と、移動局を具備する無線通信システムであって、該無線通信システムは前記システム設定部から前記回線交換部と前記基地局無線部を介して前記移動局を動作停止することを特徴とする無線通信システム。
【発明の詳細な説明】
【技術分野】
【０００１】
本発明は、無線通信システムに関し、特に移動局の遠隔操作に関するものである。
【背景技術】
【０００２】
従来、通信回線に障害が発生すると、通信可能な装置または局を経由するよう通信回線を変更していた。（例えば、特許文献１参照。）。
【特許文献１】特開２００７−２３５７１２号公報
【発明の開示】
【発明が解決しようとする課題】
【０００３】
特定エリア内で使用する無線通信システムにおいて、移動局を紛失または盗難にあった場合にシステム設定部から容易に移動局を動作停止にすることを目的とする。
【課題を解決するための手段】
【０００４】
（請求項を全部書く）
本発明の無線通信システムは、少なくともシステム設定部と、回線交換部と、基地局無線部と、移動局を具備する無線通信システムであって、無線通信システムはシステム設定部から回線交換部と基地局無線部を介して移動局を動作停止することを特徴とする。
【発明の効果】
【０００５】
本発明によれば、移動局を紛失または盗難にあった場合にシステム設定部から移動局を動作停止にすることができるため、無線通信システム全体のセキュリティが強化できる。
【０００６】
また、システム設定部から簡易な方法で移動局を動作停止にすることができる。
【発明を実施するための最良の形態】
【０００７】
本発明の一実施例を図１乃至図４を用いて説明する。図１は本発明の一実施例を説明するための無線通信システムを示す図である。図２は本発明の一実施例の動作を説明するためのシーケンス図である。図３は本発明の表示部の画面表示を説明するための図である。図４は本発明の移動局の画面表示を説明するための図である。
【０００８】
図１において、１−１〜１−Ｎはシステム設定部、２−１〜２−Ｎは表示部、３は回線交換部、４は通信エリア、５−１と５−２は基地局無線部、６−１〜６−Ｎは移動局である。システム設定部１−１〜１−Ｎは、回線交換部３が保持している移動局６−１〜６−Ｎや基地局無線部５−１〜５−２の情報等のシステム設定情報の変更をユーザ（操作者）が行う装置である。表示部２−１〜２−Ｎは回線交換部３が保持しているシステム情報の確認が可能である。回線交換部３は移動局６−１〜６−Ｎの情報や基地局無線部５−１〜５−２の情報を保持し、各装置の動作やデータ伝送先を決定する装置である。基地局無線部５−１〜５−２は回線交換部３とのデータのやりとりを行う装置であり、移動局６−１〜６−Ｎとのデータのやりとりを無線で行う装置である。移動局６−１〜６−Ｎは基地局無線部５−１〜５−２とのデータのやりとりを行う装置で、システム設定部１−１〜１−Ｎからのショートメッセージや動作停止要求等の情報を受信する。受信した情報は移動局６−１〜６−Ｎの表示部４０１に表示される。通信エリア４は基地局無線部５−１〜５−２からの無線電波が届く範囲である。また、動作停止要求は本システムにおける伝送データの１つである。
【０００９】
次に、図１乃至図４を用いて本発明の一実施例の動作を説明する。ユーザ（操作者）は図１のシステム設定部１−１を操作して図３（a）の表示部２−１の表示されているリストから移動局６−１の選択２０１を行う。次に、ユーザ（操作者）は図３（a）の表示部２−１の表示されている動作停止ボタンを押下２０２することで、回線交換部３へ動作停止要求２０３がデータとして伝達される。回線交換部３は動作停止要求２０３を受信すると、動作停止にする移動局６−１の設定情報を更新２０４する。設定更新後、回線交換部３は動作停止にする移動局６−１に対して、動作停止要求２０５を伝達する。動作停止要求２０５を受信した移動局６−１は設定情報を使用不可に更新２０８し、その後、移動局６−１の表示部４０１の画面表示を図４（a）の通信エリア名から図４（b）の動作停止に画面表示更新２０９を行う。
【００１０】
また、回線交換部３は、移動局６−１への動作停止要求２０５の完了後、システム設定部１−１へ設定完了応答２０６を伝達する。システム設定部１−１は設定完了応答２０６を受信すると、表示部２−１の画面表示更新２０７を行う。図３（a）の表示部２−１は移動局６−１の動作状態が“動作中”であるが、移動局６−１が動作停止後、図３（b）の表示部２−１は移動局６−１の動作状態が“停止中”と表示が更新（変更）される。
【００１１】
図４（b）は、移動局６−１の表示部４０１に動作停止後に“動作停止”を表示更新（変更）させたものである。表示部４０１に“動作停止”が表示された場合は、電源ボタン４０２による電源のＯＮ／ＯＦＦのみが可能となる。
【００１２】
本発明は、主にＳＣＰＣ（Single Channel Per Carrier）方式のデジタル無線システムで音声とデータの同時伝送に適している。
以上、説明したように、本発明は移動局を紛失または盗難にあった場合にシステム設定部から移動局を動作停止にすることができるため、無線通信システム全体のセキュリティが強化できる。また、システム設定部から簡易な方法で移動局を動作停止にすることができる。
【００１３】
以上本発明について詳細に説明したが、本発明は、ここに記載された無線通信システムに限定されるものではなく、上記以外の無線通信システムに広く適用することができることは言うまでもない。
【図面の簡単な説明】
【００１４】
【図１】本発明の一実施例を説明するための無線通信システムを示す図である。
【図２】本発明の一実施例の動作を説明するためのシーケンス図である。
【図３】本発明の表示部の画面表示を説明するための図である。
【図４】本発明の移動局の画面表示を説明するための図である。
【符号の説明】
【００１５】
１−１〜１−Ｎ：システム設定部、２−１〜２−Ｎ：表示部、３：回線交換部、４：通信エリア、５−１，５−２：基地局無線部、６−１〜６−Ｎ：移動局。
【図１】
2009246851.tif 000003
【図２】
2009246851.tif 000004
【図３】
2009246851.tif 000005
【図４】
2009246851.tif 000006
(57)【要約】【課題】  樹皮、製材残材、間伐材のチップ、おが屑を有効利用して、生分解性の木質マット或いは木質板を得るとともに、ヒバ（ヒノキアスナロ）や檜等に顕著なフィトンチッド或いはヒノキチオール効果で、シックハウス症候群等の除去、芳香によりストレスの解消、精神安定を図り、抗菌、防ダニ、防カビ、消臭作用を発揮し得る木質マット或いは木質板製造方法の提供を図る。【解決手段】  製材所で発生する樹皮を解繊して得られた樹皮繊維と、残材のチップ、おが屑に結合材としてデンプンとを加え加水して混練し、成型、加圧、加熱しながら熱圧してから冷まし、乾燥させ木質マットを得ることができ、主要材料をヒバ或いは檜とすることで健康志向の木質マット或いは木質板が得られる。【選択図】なし【特許請求の範囲】
【請求項１】
木材を破砕したチップとおが屑と、樹皮を解繊して得られた樹皮繊維と、結合剤としてデンプンとに加水して混練し、成形、圧縮、加熱してから冷まし乾燥させ固体化したことを特徴とする木質マット。
【請求項２】
前記マットの主材料に、カンナ屑や植物からなる天然由来の繊維材を混練したことを特徴とする請求項１記載の木質マット。
【請求項３】
前記マット形成部の主材料の全部或いは何れかが、健康素材であるヒバ（ヒノキアスナロ）或いは檜材であることを特徴とする請求項１乃至２記載の木質マット。
【請求項４】
前記マットの主材料の他に健康素材として、粒状或いは粉状の木炭或いは竹炭を混入させたことを特徴とする請求項１乃至３記載の木質マット。
【請求項５】
前記マット形成部の上、下両面に、自然素材の織布を取り付け、成型、圧縮、加熱して冷まし乾燥させ固体化したことを特徴とする請求項１乃至４記載の木質マット。
【発明の詳細な説明】
【技術分野】
【０００１】
本発明は、木質のマットに関するものであり、殆ど廃棄物となっている製材残材や山の間伐材を有効利用でき、生分解性を促進する効果も高く、健康志向でもある木質マット或いは木質板の製造方法に関するものである。
【背景技術】
【０００２】
従来、この種の木質板として、インシュレーションボード或いはパーティクルボード等が見られるが、昨今の住環境の変化、特に気密性の向上やエアコン等の普及が、室内へのダニの侵入や、アトピー性皮膚炎や喘息の原因なり、新築の建築物ではシックハウス症候群等の健康被害の原因になったり、使用する建材が問題となっている場合がある。
【０００３】
そこで本発明は、木材、特にヒバ（ヒノキアスナロ）や檜材に含有されるフィトンチッドやヒノキチオールの抗菌、防カビ、防ダニ作用や、森林浴にも酷似した芳香によるストレスの解消や精神安定効果等の薬効と、結合材として各種デンプンに着目し、生分解性であり、昨今の住環境においても健康生活に資する木質マット或いは木質板を得ようとするものである。
【特許文献１】２０００−２２０２２５号広報
【特許文献２】２００３−２３１１０７号広報
【特許文献３】２００７−４０００９号広報
【発明の開示】
【発明が解決しようとする課題】
【０００４】
本発明は、かかる従来からあった問題を解決するためになされたものであり、その目的とするところは、昨今の建築物に使用される建材がシックハウス症候群等の原因となったり、空調機器の普及や建物の気密性の向上に伴って、ダニやシロアリ、カビ、雑菌等の繁殖に適した場所にもなっていることから、木材産業で発生する樹皮や製材残材,間伐材等の有効利用を図るとともに、生分解性であることに加え、これらの防止や忌避効果のある建材やマット、ボード、畳等にも応用できる製造方法を提供することにある。
【課題を解決するための手段】
【０００５】
請求項１に係る発明は、製材所で発生する残材や山林に取り残された間伐材のチップと、製材時に排出されるおが屑と、製材前の原木から得られる樹皮を解繊した樹皮繊維に、結合材としてデンプン、デンプン誘導体とに加水して混練し、成型、圧縮、加熱してから冷まし、乾燥させ固体化するものである。
【０００６】
請求項２に係る発明は、前記マットの主材料に、木工所等で発生するカンナ屑や稲藁、麻、ケナフ等の繊維材を加え、本マットに引っ張り強度や弾力性を加味したものである。
【０００７】
請求項３に係る発明は、請求項１乃至２記載の主材料の全部或いは何れかが、健康素材であるヒバ（ヒノキアスナロ）或いは檜材からなるものである。
【０００８】
請求項４に係る発明は、請求項１乃至３記載の主材料に、空気浄化や脱臭効果が顕著な粒状或いは粉状の木炭、竹炭を混入させるものである。
【０００９】
請求項５に係る発明は、請求項１乃至４記載の木質マットの上、下両面に、自然素材の麻やケナフ、藁等織布或いは不織布を、成型、圧縮、加熱の工程でマットと一体化させるもので、マットの表面保護や装飾、全体の補強にもなる。
【発明の効果】
【００１０】
以上説明したように、本発明によれば、製材所で発生し殆どが廃棄物となっている製材残材或いはおが屑、原木の樹皮等の他、山地の取り残された間伐材、木工所で排出されるカンナ屑等の有効利用を図ることができ、製造された木質マット或いは木質板は、樹木の薬効効果で抗菌、防虫、防ダニ効果、精神安定効果を十分発揮することができ、結合材に天然由来のデンプンを使用することで生分解性の木質マット或いは木質板を得ることが出来る。
【００１１】
以上、多様的状態における、それぞれ本発明の特定の手段を説明したが、以下、特許請求範囲により提供される本発明の精神や分野を逸れぬ限度内で、本発明が多様に改良及び変化が可能なものである。
【実施例】
【００１２】
製材所で排出されるヒバ（ヒノキアスナロ）樹皮を解繊した樹皮繊維を乾燥重量１００とした場合、ヒバの製材残材のチップ１３０乃至１８０、ヒバのおが屑３０乃至６０、デンプン（ポテトスターチ）６０乃至１００と水１００乃至１６０を混練し、型枠に入れ成型、１００ｋｇ／ｍ乃至５００ｋｇ／ｍで加圧しながら１００度乃至１４０度で２０分乃至４０分間蒸気或いは熱気加熱、或いは電磁式の場合５分乃至１５分間加熱して冷まし乾燥させることで、健康志向の木質マット或いは木質板が製造できる。また、それぞれマットの厚さや必要硬度や柔軟度は、材料構成や熱圧方法を変化させることで得られる。
(57)【要約】【課題】従来の手作り布草履はポリプロピレンロープを芯として使用しているため、作り手の力加減や経験不足によりサイズを取りにくい上に型崩れを生じやすく、加えて洗濯時には乾燥に２日程かかる。これはほとんどの場合芯の部分に問題があるからである。【解決手段】これまで使用されてきたポリプロピレンロープを改め、発泡ポリエチレン製のサイズ別成型芯を使用することのより、その型芯に布を沿わせていくだけで子供からご年配の方までが簡単に短時間で布草履を作成することが可能になり、履き心地も軽く適度な弾力は心地よいもので洗濯時の乾燥も早い。【選択図】図１
2009066368.tif 000002
【特許請求の範囲】
【請求項１】
手作り布草履をより簡単に美しく作成し、清潔に使用し続けるための要の部分である芯の部分に関するもので、これまで使用されてきたポリプロピレンロープに替わり発泡ポリエチレンの成型芯に布を沿わせていくことで、サイズ合わせや形崩れに苦心してきたものが誰でも簡単に短時間で布草履の作成が可能になる、手作りする方のための布草履芯です。
【発明の詳細な説明】
【技術分野】
【０００１】本発明は、手作り布草履をより簡単に美しく作成するための要となる芯の部分に関する。
【背景技術】
【０００２】従来の手作り布草履の芯には、ポリプロピレンロープの５ミリから８ミリ幅を使用してきた。
【発明の開示】
【発明が解決しようとする課題】
【０００３】ロープの太さや作り手の力加減によって、細くなったり長くなったり希望の大きさにならないことが多々あるうえに、出来上がりは重くて硬く、洗濯時には乾燥に２日程要するため、自作を諦めて高額な規制のものを購入するのが現実である。これでは、家庭内の余り布や思い出の着物などをほどいで作るなどの本来の、心のこもった手作り布草履の思いやりの気持ちから離れていく。
【問題を解決するための手段】
【０００４】本発明は上記の課題を解決するために、足の幅や長さのサイズ別の発泡ポリエチレン製の型芯をあらかじめ作成し、作り手はその型に沿って布を渡していくだけで、短時間で望みどおりの大きさの布草履を作り上げることが出来る。
【発明の効果】
【０００５】子供からご年配の方まで簡単に自由自在に編めるため、これまではゴミとして捨てていたような布を、安全で安心で健康的な履物として生き返らせることが出来る。硬いロープ芯と違い、軽くて適度な弾力性はとても履き心地がよく、洗濯後も短時間で乾く。手作り布草履により親しむことは、物を無駄にしない精神につながるものである。
【発明を実施するための最良の形態】
【０００６】１センチ幅の発泡ポリエチレン板で、各サイズの型芯を作成する。
【図面の簡単な説明】
【０００７】
【図１】「布草履芯を示した平面図である。」
【図２】「布草履芯を示した斜め側面図である。」
【符号の説明】
【０００８】１  幅１０ミリの発泡ポリエチレン部分である。
２  くり抜き部分である。
３  発泡ポリエチレン１０ミリの厚みの部分である。
【図１】
2009066368.tif 000003
【図２】
2009066368.tif 000004
(57)【要約】【課題】輪ゴムやクリップ、画鋲などの事務用小物は、それぞれの容器に入っており使いづらかった。またひとつの容器にまとめることもできず不便であった。【解決手段】丸型または四角、楕円等の容器に差込口を設け、この差込口に容器を繋ぐジョイント器具またはポールを用いて、重ねられるようにした。台座には重りまたは吸盤を付ける。何段にも重ねることができるため輪ゴム、クリップ、画鋲等それぞれを専用の容器に収納できるばかりでなく、縦型で場所をとらない。使用時はジョイントを支点に容器を回せば中身が簡単に取り出せる。また外して個別に使用することもできて大変便利である。【選択図】図２
2009066367.tif 000002
【特許請求の範囲】
【請求項１】
タワー型に重ねたり．回したり、外したりできる文具等、小物の収納器具
【発明の詳細な説明】
【技術分野】
【０００１】この発明は、丸型または四角等の容器をジョイント器具またはポールを用いて、重ねたり、回したり、外したりできる小物入れである。
【技術背景】
【０００２】従来は、このようにものはなかった。
【発明の開示】
【発明が解決しようとする課題】
【０００３】輪ゴムやクリップ、画鋲などの事務用小物は、それぞれの容器に入っており使いづらかった。またひとつの容器にまとめることもできず不便であった。
【課題を解決するための手段】
【０００４】丸型または四角、楕円等の容器に差込口を設け、この差込口に容器を繋ぐショイント器具またはポールを用いて、重ねられるようにした。
【発明の効果】
【０００５】何段にも重ねることができるため輪ゴム、クリップ、画鋲等それぞれを専用の容器に収納できるばかりでなく、場所をとらない。使用時はジョイントを支点に容器を回せば中身が簡単に取り出せる。また外して個別に使用することもできて大変便利である。
【発明の実施をするための最良の形態】
【０００６】以下、本発明の実施の形態について説明する。
イ．丸型または四角、楕円等の容器に差込口を設ける。ロ．この差込口に差し込んで容器を繋ぐジョイント器具またはポール及び台座を用意する。ハ．容器の差込口にジョイント器具またはポールを差し込んで使用する。
【実施例１】
【０００７】容器と容器の連結にジョイント器具を使用する。
【実施例２】
【０００８】容器と容器の連結に台座に立てたポールを使用する。
【図面の簡単な説明】
【０００９】
【図１】〔実施例１〕の形態図である。〔符号の説明〕１容器  ２差込口  ３ジョイント  ４ストッパー  ５台座（重り付き，または吸盤）
【図２】〔実施例１〕の使用図である。
【符号の説明】
【００１０】１容器
２差込口
３ジョイント
４ジョイントを支点に回して取り出す
５台座（重り付き，または吸盤）
【図１】
2009066367.tif 000003
【図２】
2009066367.tif 000004
(57)【要約】【課題】清掃不良のない口腔清掃装置。自力で磨き続ける労力が不要な口腔清掃装置。口の中に装着しやすく、歯を磨く事が苦にならない装置。【解決手段】個人の歯型に合せた上下のトレーを歯列に装着し、トレーごと振動させる事により、手を使わず自動的に歯の汚れを清掃する。【選択図】図１
2009066370.tif 000002
【特許請求の範囲】
【請求項１】
個人の歯型に合わせた、手を使わずに磨ける自動式の口腔内清掃器。
【請求項２】
上下に分割可能で着脱しやすく、口腔状態に応じた歯磨きができる装置。
【発明の詳細な説明】
【技術分野】
【０００１】本発明は、歯ブラシやその他の口腔用衛生器具に関する。
【背景技術】
【０００２】歯磨きなどの口腔内清掃は、従来より歯ブラシを手で持ち、小刻みに腕を動かして歯面をこすり、汚れを掻き取る方法が行われてきた。
補助的に歯磨剤などを使用してもブラシ部分が適切に歯面に当たらなければ汚れはそのまま残り、虫歯や歯周病を引き起こす大きな原因となっている。【０００３】電動歯ブラシにおいても歯ブラシを手で持ち、汚れが落ちるまで歯面にあて続け、さらに別の部分に手で持ったまま移動しなければならない事に変わりはない。【０００４】手で把持し続け  動かさなければならない面倒さや、適切な歯磨きの位置が自分では分かりにくいため、充分に清掃できないまま、虫歯や歯周病に罹患する人が多い。【０００５】なお、本発明に関連する公知技術として次の特許文献１、２、３、４及び実用新案文献１、２を挙げることができる。
【特許文献１】特開  ２００３−１８０７１８
【特許文献２】特開  ２００４−５１５２９５
【特許文献３】特開  ２００５−１６０８８０
【特許文献４】特開  ２００３−１１６６３６
【実用新案文献１】
第３０１０３０６
【実用新案文献２】
第３０５８２５０
【発明の開示】
【発明が解決しようとする課題】
【０００６】上述のように従来の歯ブラシは手を使い続ける必要があり、また歯ブラシの使用位置を個人の勘に頼っているため、磨き方の癖などにより必ずしも適切な清掃ができるとは限らず、結果的に口腔内疾患が多発している。
また手を充分に使えない人などにとっては、口腔内清掃は非常に困難である。【０００７】本発明はこのような点に着目したものであり、目的は手を使い続けることなく自動的に口腔内を清掃するためのものである。【０００８】また歯並びは、全ての人が違った形をしているが、個人の歯型にあわせて作ることにより、それぞれの歯にもれなく清掃部が接触し磨き残しが極めて少なくなる。【０００９】上あご用と下あご用の装置は分割可能で小さく、着脱しやすいため口が開きにくい人でも使用できる。
【課題を解決するための手段】
【００１０】上述の目的を達成する本発明のトレー型自動歯ブラシは、個人の歯型を覆うトレーの内側に歯面に接する形で植毛あるいは軟質性素材を貼付し、トレーに振動子を付加しトレーごと口腔内に装着する。【００１１】振動子によってトレーを振動させ、この振動を植毛部や軟質部に伝え、歯面を刷掃することで、手を使う事なく自動的に歯を磨ける清掃機である事を特徴とする。
なお歯型は、歯科医院や技工所などでは日常的に製作されているものである。
【発明の効果】
【００１２】以上のように、本発明により口の中に装着さえすれば、手を使って歯を磨き続ける必要がなくなり、労力をかけずに歯磨きや歯肉のマッサージなどを行う事ができるようになる。【００１３】個人の歯型に合わせてあるため、清掃部が歯面にまんべんなく当たり、磨き残しが極めて少なくなる事で虫歯予防や歯周病の改善などに役立つ。【００１４】上下に分割可能で口の中に入れやすく、歯磨きが苦手な人でもきれいに歯を磨くことができる。【００１５】振動子の動かせ方や配置により、口腔内の状態に合わせたさまざまなパターンの口腔内清掃が可能になる。【００１６】歯磨剤を併用することにより歯面を滑沢化し歯垢や色素の沈着を予防できる。【００１７】装置が口の中に入ってしまうため唇を閉じたまま歯磨きができ、外に飛沫が飛び出さない。【００１８】手を使わないため、他の事をしながらでも歯磨きができる。
【発明を実施するための最良の形態】
【００１９】以下、本発明実施の形態を図面に基づき  詳細に説明する。【００２０】図１は本発明を実施するための形態を示す、外観および断面図である。【００２１】図１に示すように、本トレー型自動歯ブラシは個人の歯列に覆いかぶさる形のトレーの内面に、歯面に接するかたちで植毛あるいは軟質性部材を貼付し、これを歯面清掃部としたものである。【００２２】トレーに振動子を取り付け、トレーを揺さぶることで振動を歯面清掃部に伝え歯を刷掃する。【００２３】トレーは上あご用と下あご用に分割可能で、大きく口を開けなくても装着できる。【００２４】上下のトレーを咬み合わせる事でスイッチが入るようにすれば、清掃の開始・中断を任意に行う事ができる。【００２５】口蓋部分を付加すれば動力源の収納も容易になる。【００２６】振動子をトレー内側に装着すれば防水性や舌感も改善できる。【００２７】トレー及び清掃部を歯槽部まで延長すれば歯肉のマッサージもできる。【００２８】振動子の両端をそれぞれ上下のトレーに接触させるよう配置すれば、相互作用で刷掃力を強化する事もできる。
【図面の簡単な説明】
【００２９】
【図１】本発明の実施の形態に係るトレー型自動歯ブラシ外観と装着時の断面図である。
【符号の説明】
【００３０】１  トレー
２  歯面清掃部となる歯型にあわせた植毛あるいは軟質性部材
３  振動子
４  スイッチ及び上下嵌合部
５  歯
【図１】
2009066370.tif 000003
(57)【要約】【課題】  本発明は、いつ、何処でも手軽に履けるように、滑り機を装着した靴を提供する。【解決手段】  踵部から、その内壁に沿って上部の縁を巻き込む形でスライド板を装着し、スライド板の下部は中敷に接合し、スライド板上部に取っ手を設けたことを特徴とする滑り機を装着した靴。【選択図】図４
2009066364.tif 000002
【特許請求の範囲】
【請求項１】
踵部からその内壁に沿って上部の縁を巻き込む形でスライド板を装着し、スライド板の下部は中敷に接合し、スライド板上部に取手を設けたことを特徴とする滑り機を装着した靴。
【発明の詳細な説明】
【技術分野】
【０００１】  本発明は、靴を履くときの、踵が、靴の踵部上縁えの当りを軽減するように、滑り材を設けた靴に関するものである。
【背景技術】
【０００２】  従来、ファスナーやベルトなどを使って、挿入口を広げることにより、履き易すくした靴があった
【発明の開示】
【発明の解決しようとする課題】
【０００３】  靴を履くとき、履きにくい原因は、踵が、靴の踵部の上縁に当るからである。
ファスナーなどを使った製品は、挿入口を広げることにより、この当りを少なくしたものであるが、それには、次の問題点があった。
（イ）ファスナーなどの取り付けるための加工が必要なため、形に変化が生じた。
（ロ）従ってデザインの変化にも考慮しなければならなかった。
本発明は、靴の原形を変えることなく、この当りを解消したものである。
【課題を解決するための手段】
【０００４】  踵部から、その内壁に沿って上部の縁を巻き込む形でスライド板を装着し、スライド板の下部は中敷に接合し、スライド板上部に取手を設ける。
以上を特徴とする滑り機を装着した靴である。
【発明の効果】
【０００５】  靴ベラ無しで履くときの煩わしさは、誰しも経験するところである。
本発明は、いつ、何処でも気楽に履け、スッキリした満足感ある一歩が得られる。
【発明を実地するための最良の形態】
【０００６】  以下、本発明の実施の形態について説明する。
（イ）表面が滑らかな、樹脂や金属板などを使ったスライド板（１）が踵部から内壁に沿って、上部の縁を巻き込んで装着している。
（ロ）スライド板（１）の下部は、中敷（２）に接合する。
又は、靴の底内板に接合してもよい。
（ハ）スライド板（１）の上部中央に、取手（３）を設ける。
本発明は以上のように簡単な構成である。
使い方も次に述べるように簡単である。
先ず、普通にこの靴を履き、踵がスライド板（１）の上部の縁に当ったとき、取手（３）を使って、スライド板（１）を引き上げ、中敷（２）を踵に接触させた常態にしてから、軽く踏み込めば、足は、爪先方向に押し込まれるように入る。
そして、この靴を暫く履きこなしていると、取手（３）を操作しなくても、スライド板（１）の滑り効果のみで履けるようになる。
又、靴のサイズや型が足に良くマッチしている靴は、同様に滑り効果のみで履ける。
【図面の簡単な説明】
【０００７】
【図１】  本発明の正面図である。
【図２】  本発明の右側面図である。
【図３】  本発明の平面図である。
【図４】  本発明の実施例を示した一部を切除した斜視図である。
【符号の説明】
【０００８】    １  スライド板
２  中敷
３  取手
【図１】
2009066364.tif 000003
【図２】
2009066364.tif 000004
【図３】
2009066364.tif 000005
【図４】
2009066364.tif 000006
(57)【要約】【課題】  爪を短くする場合は鋏やニッパー形あるいは食切り型の爪切りで切って鑢掛けをしていたため２度手間であった。また子供やお年寄りはこれらをうまく使えない人も多く深爪や怪我をすることもあった。切り屑や爪粉は飛散防止のあるものもあるが飛散したりこぼれたりして完全ではなかった。【解決手段】  図２に示すように２電池で４モーターを回転させ７鑢を細かく高速で往復運動させて爪を削る。７鑢は爪の形状を整え易くするため円弧状でさらに爪から逸れ難くするよう溝形にしてある。溝形により面取りも同時にできる。  削った爪粉は４モーターに付いている８ファンで吸引され１２フィルターで濾過され１１爪粉室に蓄えられることを特徴とする。【選択図】図２
2009066369.tif 000002
【特許請求の範囲】
【請求項１】
電池でモーターの回転をホイールとコンロッドで往復運動に変え、コンロッドの先端に鑢等を付け爪を削ることを特徴とした電気爪削り器。
【請求項２】
鑢等の部分は爪を円形に仕上げ易くするため凹円形にし、また爪から鑢等が逸れにくいよう溝形にした。そのため使用は容易で爪の先を丸く滑らかに仕上がることを特徴とする請求項１記載の電気爪削り器。
【請求項３】
先端の鑢等の部分は磨耗した場合交換できる。また爪の形状の好みにより弧の大きなもの、小さなもの、平らなものあるいはブラシに交換することができることを特徴とする請求項１記載の電気爪削り器。
【発明の詳細な説明】
【技術分野】
【０００１】  本発明は電池でモーターを駆動しそれにより鑢を高速で往復運動をさせ爪を削る爪切りおよび爪削り関するものである。
【背景技術】
【０００２】  従来、爪は鋏やニッパー形あるいは食切り形の爪切りで切り、鑢掛けをして仕上げていた。【０００３】  電池等でモーターを駆動し円盤の鑢を回転させその面で爪を削るものもある。
【特許文献１】  特許公開  平１０−２０１５２５  特許公開  平８−１２６５１７  特開  号広報
【非特許文献１】  実用新案公開  平６−７９４１３  登録実用新案第３０２２８３３
【発明の開示】
【発明が解決しようとする課題】
【０００４】  従来は爪切りと鑢掛けの２度手間であった。また子供やお年寄りはこれらをうまく使えない人も多く、しかも深爪や怪我をすることもあった。【０００５】  切った爪の飛散防止のあるものもあるが完全ではなく飛散したりこぼれたりした。【０００６】  モーターで円盤の鑢を回転させて爪を削るものは丸みを出すのが難しくまた削り面の角をとる（面取り）のが面倒である。
【課題を解決するための手段】
【０００７】  電気モーターの回転を往復運動に変え、その先の鑢で爪を削る。【０００８】  鑢等の面は爪の形状を仕上げやすくするため円形の凹形にし、さらに爪が鑢等から逸れ難くまた面取りもできるよう溝形にする。【０００９】  鑢で削れた爪の粉はファンで吸引しフィルターで濾過して爪粉室に蓄えられる。
【発明の効果】
【００１０】  電気モーターで鑢を動かすため削るため力は殆ど必要ない。また鑢は円弧状で溝もあり爪から逸れ難く従来の爪きりや鑢がけが困難な人も容易にできる。【００１１】  鋭利な刃物を使用していないため怪我をすることはなく深爪も発生しにくい。【００１２】  鑢で削れた爪の粉はファンで吸引しフィルターで濾過し爪粉室に蓄えられ溜まった爪粉は適宜捨てることができる。
【発明を実施するための最良の形態】
【００１３】  以下、本発明の実施の形態を図面に基づき詳細に説明する。【００１４】  図１は本発明の第１の実施の形態に係り、図１は全体の外観図、図２はその断面図、図３は鑢部の拡大図である。【００１５】  図２に示すように３スイッチを入れると２電池で４モーターが回転する。それを５ホイールと６コンロッドで往復運動に変えると７鑢が細かく高速で往復運動をする。【００１６】  ７鑢は爪の形状を整え易くするため円弧状で内側には溝を造ってある。またそのため７鑢が爪から逸れ難くまた面取りも同時にできる。【００１７】  削った爪粉は４モーターに付いている８ファンで吸引され９ダクトを通り１１爪粉室に入り１２フィルターにより蓄えられ適宜爪粉室蓋１３を開けて捨てることができる。
【実施例】
【００１８】  実施の形態で示す
【産業上の利用可能性】
【００１９】本発明は木版、金属板、プラスティック板等の側面を曲線状に仕上げることに利用できる。
先端の鑢等の部分をブラシやゴム等に替えるとミニマッサージ器としても使用できる。また消しゴムを付ければ電動消しゴム器にもなる。
【図面の簡単な説明】
【図１】本発明の全体の外観図である。
【図２】図１の断面図である。
【図３】図１の鑢部を拡大した側面図と平面図である。
【符号の説明】
【００２１】１、ケース  ２、電池  ３、スイッチ  ４、モーター  ５、ホイール  ６、コンロッド  ７、鑢  ８、ファン  ９、ダクト  １０、逆流防止弁  １１、爪粉室  １２、フィルター  １３、爪粉室蓋
【図１】
2009066369.tif 000003
【図２】
2009066369.tif 000004
【図３】
2009066369.tif 000005